(57)【要約】【課題】複数の構成要件の良好なコネクティビティを確保し、それぞれの機器の状況に応じて通信状態を変化させることができる通信システムを提供する。【解決手段】複数のチップ２相互間の通信を可能とする通信システム１Ａであって、チップ２，２相互間を通信可能に接続する接続部９と、接続の前後においてチップ２相互間の認証を行う認証部１０と、認証の有無に基づいて通信の態様を変化させる通信態様管理部１１とを備えたことを特徴とする。【選択図】図１
2014212515.tif 000002
【特許請求の範囲】
【請求項１】
複数の機器相互間の通信を可能とする通信システムであって、
前記機器相互間を通信可能に接続する接続手段と、
前記接続の前後において前記機器相互間の認証を行う認証手段と、
前記認証の有無に基づいて前記通信の態様を変化させる通信態様管理手段とを備えたことを特徴とする通信システム。
【請求項２】
前記通信態様管理手段は、前記認証の有無に基づいて、前記通信のエラー率、前記通信の帯域、前記通信の切断と再接続のタイミング、のうち少なくとも何れか一つを変化させることを特徴とする請求項１に記載の通信システム。
【請求項３】
前記認証手段は、一の前記機器に設けられて、通信相手である他の前記機器に設けられた前記認証手段との交信を行うことで前記認証を行うことを特徴とする請求項１又は２に記載の通信システム。
【請求項４】
前記認証手段は、一の通信機器に設けられて、通信相手である他の前記機器に設けられた前記認証手段との間で、ＩＤ情報、レジスタ情報、パスワード情報、認証かぎ情報のうち少なくとも何れか一つの情報を交信し照合することで前記認証を行うことを特徴とする請求項１乃至３の何れか一つに記載の通信システム。
【請求項５】
前記機器は、ＩＣチップであることを特徴とする請求項１乃至４の何れか一つに記載の通信システム。
【請求項６】
前記機器としての前記ＩＣチップは、遊技機に設けられることを特徴とする請求項５に記載の通信システム。
【発明の詳細な説明】
【技術分野】
【０００１】
本発明は、チップや各種デバイスや各種ノード等におけるコネクティビティを確保する技術に関する。
【背景技術】
【０００２】
画像や音声の処理、機械の動作制御、通信等の多様な分野において、各種処理を行わせるためには、ＩＣチップ等の集積回路を始め、各種のデバイスやノードが用いられる。従来は、複数のチップをバスや各種インターフェースを介して接続する技術が知られている（例えば特許文献１参照）。また、接続したチップ相互間で相互に情報を交信し、メモリ資源をチップ相互間で利用可能にする、接続されたチップ相互間のコネクティビティを確保する技術が知られている（例えば、非特許文献１参照）。また、外部機器と情報記録機器とをＵＳＢバスを使って接続し、認証データ記憶領域に記録されているデータと同一のデータを外部機器から情報記録機器に送信するまでは、情報記録機器は、外部機器からの不揮発性メモリに対するリード及びライトを全て遮断する技術が知られている（例えば、特許文献２参照）。
【先行技術文献】
【特許文献】
【０００３】
【特許文献１】米国特許第６９１００９２号明細書
【特許文献２】特開２００６−３１５４０号公報（請求項１、請求項２）
【非特許文献１】Ｃ２ＣＴＭ  Ｃｈｉｐ  ｔｏ  Ｃｈｉｐ  ＬｉｎｋＴＭ  Ｉｎｔｅｒ−Ｃｈｉｐ  Ｃｏｎｎｅｃｔｉｖｉｔｙ  ＩＰ  （ＵＲＬ：ｈｔｔｐ：／／ｗｗｗ．ａｒｔｅｒｉｓ．ｃｏｍ／ｃ２ｃ＿ｃｈｉｐ−ｔｏ−ｃｈｉｐ＿ｆｏｒ＿ＤＲＡＭ＿ｍｅｍｏｒｙ＿ｓｈａｒｉｎｇ）
【発明の概要】
【発明が解決しようとする課題】
【０００４】
しかしながら、上記特許文献１や非特許文献１においては、チップ等同士を接続させても、チップ同士の状態や接続状態の変化に際して柔軟に適応することは難しいという問題がある。また、上記特許文献１や非特許文献１はチップ相互間の接続以外の接続態様に適用することは難しいという問題がある。ここで、チップ同士を接続させた際に、原則的にはチップ相互間で通信を許容しつつ、チップ相互間の関係（例えば、それぞれのチップのメーカが同一か否か、チップの使用にあたって推奨されるユーザ登録やライセンス料の支払いが行われているか否か、チップの通信に特定の通信プロトコルが用いられているか否か、等）によってチップ相互間の通信状態を変化させたい要望もある。しかしながら、上記特許文献２においては、特定の条件（即ち、認証データ記憶領域に記録されているデータと同一のデータを外部機器から情報記録機器に送信されたこと）が満たされない場合は通信が遮断されてしまうため、原則的に許容された通信の通信状態を変化させる需要に適合しないという問題がある。
【０００５】
本発明は上記課題に鑑みてなされたものであり、チップ相互間、チップ内のデバイス相互間、チップ以外の各種デバイス相互間、各種ノード相互間等において、複数の構成要件の良好なコネクティビティを確保して接続でき、それぞれのチップの状況に応じて通信状態を変化させることができる通信システムを提供することを課題としている。
【課題を解決するための手段】
【０００６】
かかる課題を解決するために、請求項１に記載の発明は、複数の機器相互間の通信を可能とする通信システムであって、前記機器相互間を通信可能に接続する接続手段と、前記接続の前後において前記機器相互間の認証を行う認証手段と、前記認証の有無に基づいて前記通信の態様を変化させる通信態様管理手段とを備えたことを特徴とする。
【０００７】
請求項２に記載の発明は、請求項１に記載の構成に加え、前記通信態様管理手段は、前記認証の有無に基づいて、前記通信のエラー率、前記通信の帯域、前記通信の切断と再接続のタイミング、のうち少なくとも何れか一つを変化させることを特徴とする。
【０００８】
請求項３に記載の発明は、請求項１又は２に記載の構成に加え、前記認証手段は、一の前記機器に設けられて、通信相手である他の前記機器に設けられた前記認証手段との交信を行うことで前記認証を行うことを特徴とする。
【０００９】
請求項４に記載の発明は、請求項１乃至３の何れか一つに記載の構成に加え、前記認証手段は、一の通信機器に設けられて、通信相手である他の前記機器に設けられた前記認証手段との間で、ＩＤ情報、レジスタ情報、パスワード情報、認証かぎ情報のうち少なくとも何れか一つの情報を交信し照合することで前記認証を行うことを特徴とする。
【００１０】
請求項５に記載の発明は、請求項１乃至４の何れか一つに記載の構成に加え、前記機器は、ＩＣチップであることを特徴とする。
【００１１】
請求項６に記載の発明は、請求項５に記載の構成に加え、前記機器としての前記ＩＣチップは、遊技機に設けられることを特徴とする。
【発明の効果】
【００１２】
請求項１に記載の発明によれば、機器相互の接続の前後において認証が可能であるため、接続の如何に関わらず所望のタイミングで機器同士の認証を行える。また、認証の有無に基づいて通信の態様を変化させられるので、通信を確保しつつ、通信の有無により帯域等を変化させて認証された機器の通信優位性を確保できる。これにより、複数の構成要件の良好なコネクティビティを確保して接続させることができる。また、それぞれの機器の状況に応じて通信状態を変化させることができる。
【００１３】
請求項２に記載の発明によれば、通信態様管理手段は、具体的な通信制御の構成を用いて通信品質を変化させることが可能となるので、それぞれの機器の状況に応じて確実に通信状態を変化させることができる。
【００１４】
請求項３に記載の発明によれば、通信対象となる機器にそれぞれ設けられた認証手段同士が、通信対象となる個々の機器の特性や設定に依存する認証情報を交信、照合させ、この交信、照合の結果に基づいて通信状態を変化させることができるので、通信対象となる個々の機器の特性や設定に基づいて確実に通信状態を変化させることができる。
【００１５】
請求項４に記載の発明によれば、通信対象となる個々の機器の特性や設定に基づく具体的な情報であるＩＤ情報、レジスタ情報、パスワード情報、認証かぎ情報のうち少なくとも何れか一つの情報を用いて、通信対象となる個々の機器の特性や設定に基づいて確実に通信状態を変化させることができる。
【００１６】
請求項５に記載の発明によれば、通信可能な複数のＩＣチップ相互間で、ＩＣチップの状況に応じて通信状態を変化させることができる。
【００１７】
請求項６に記載の発明によれば、遊技機に複数設けられて相互に通信可能なＩＣチップにおいて、ＩＣチップの状況に応じて通信状態を変化させることができる。
【図面の簡単な説明】
【００１８】
【図１】この発明の実施の形態に係る通信システムの基本構成を示す図である。
【図２】同実施の形態に係る通信システムの処理手順を示すフローチャートである。
【図３】同実施の形態に係る通信システムを遊技機に適用した場合の概念図である。
【図４】この発明の実施の形態の参考例１に係る通信システムの基本構成を示す図である。
【発明を実施するための形態】
【００１９】
［発明の実施の形態１］
図１乃至図３にこの発明の実施の形態１を示す。
【００２０】
この実施の形態１の通信システム１Ａは、図１に示すように、二つのチップ相互間の接続に用いられるものである。
【００２１】
［基本構成］
図１に、この実施の形態１の通信システム１Ａの基本構成を示す。また、図３に、同通信システム１Ａを遊技機に適用した場合の概念図を示す。
【００２２】
この実施の形態１の通信システム１Ａは、複数のチップを外部バスで接続して構成される。
【００２３】
図１に示す、この実施の形態１の通信システム１Ａを構成する「機器」としてのチップ２は、例えばパチンコ機等の遊技機や娯楽機器において、画像処理や音声処理や役物の動作制御等に用いられるＩＣチップである。具体的には、このチップ２及び通信システム１Ａは、例えば図３に示すように、一の遊技機１００の内部にｎ個（ｎ＞１）のチップ２１，２２・・・２ｎが設置される態様で用いられる。それぞれのチップ２１，２２・・・２ｎは、遊技機１００の盤面に配設されたＬＣＤ等のディスプレイ１０１に表示される動画の表示制御や、遊技機１００の本体に配設されたＬＥＤ等の照明機器１０２の点灯制御、スピーカ１０３から発生される音声の出力制御、役物１０４を動作させるモータ１０５の動作制御等に用いられる。チップ２１，２２・・・２ｎは、それぞれが、動画の表示制御、点灯制御、音声の出力制御等に特化したものであってもよいし、動画の表示と照明機器１０２の点灯等のように、複数の制御対象を一のチップ例えばチップ２１が制御するものであってもよいし、複数のチップ例えばチップ２１，２２が一の制御対象例えば動画の表示制御を行うものであってもよい。
【００２４】
なお、以下は、説明の簡単のため、特に区別の必要がある場合を除きチップ２１，２２・・・２ｎをチップ２と記載する。
【００２５】
図１には、この実施の形態１の一例として、相互に通信相手となる２つのチップ２，２を一の外部バス３で接続して通信システム１Ａを構成した場合を示す。これら複数のチップ２，２は、遊技機１００や各種機器の通常時やイベント発生時において、データや信号の送受信を繰り返し行いながら、連携して各種処理を行う。これにより、遊技機１００や各種機器において、動画表示、照明機器の点灯、音声の出力等を、的確なタイミングで連携させながら行うことができる。
【００２６】
図１に示す通り、チップ２は少なくとも一つのＣＰＵ４を備え、ＲＡＭ５、ＲＯＭ６、ＥＥＰＲＯＭ７等と共にチップ内部バス８に接続されている。
【００２７】
チップ２は、「接続手段」としての接続部９と、「認証手段」としての認証部１０と、「通信態様管理手段」としての通信態様管理部１１とを備える。
【００２８】
接続部９は、チップ２，２相互間を通信可能に接続するインターフェースである。接続部９同士は外部バス３等によって接続される。この実施の形態１において、接続部９は、他のチップ２と接続されているか否かを検知する機能を有する。
【００２９】
具体的には、例えば、接続部９は、外部バス３に接続されているか否かを検知する機能を有する（この場合、自らが外部バス３に接続されていれば、その外部バス３に接続された他のチップ２にも接続されているものとして扱う。）。また例えば、一定周期例えば０．１秒ごとに外部バス３に接続された他のチップ２との間で生存確認信号（外部バス３を介してデータを通信可能な状況であることを他のチップに知らせるための信号）の送受信を行う機能を有する。但し、これら以外の機能によって、他のチップ２と接続されているか否かを検知する構成であってもよい。
【００３０】
認証部１０は、接続されるチップ２相互間を認証する。認証部１０は、接続されたチップ２や当該チップ２の接続部９を、チップ２，２同士が通信を開始する前又は通信開始後に認証する。
【００３１】
認証部１０における認証は、予め設定された特定の条件をトリガとして行われる。このトリガとなる条件は、例えば、接続部９において、自らが外部バス３を介して他のチップ２と接続されていることを検知したことや、外部バス３を介して、有線又は無線で接続された各種機器（例えば、チップ２の製造メーカの所持または管理するサーバや、チップ２のユーザの所持または管理する各種端末など。以下単に「各種機器」と称する。）から供給された、認証のための所定の情報（例えば、ＩＤやパスワードの情報、レジスタ情報、認証かぎの情報など）を取得した場合に行われる。なお、各種機器からの所定の情報の供給は、例えば、チップ２のユーザが、チップ２を使用するためのライセンス料をチップ２の製造メーカや管理業者に支払ったことを製造メーカや管理業者が確認した際に、各種機器からチップ２に送信される情報として設定することが考えられる。
【００３２】
認証部１０には、認証情報記録部１２が設けられている。この認証情報記録部１２には、認証部１０での認証に用いられる各種データが記録されている。具体的には、例えば、上述のような認証のための所定の情報、つまり、チップ２毎に一意に設定されたＩＤやパスワードの情報、レジスタ情報、認証かぎの情報などが記録されている。
【００３３】
通信態様管理部１１は、チップ２同士の通信の態様を変化させる。具体的には、チップ２，２相互間が認証済か否かで通信態様を変化させる。通信態様管理部１１は、通信態様を変化させるために必要な各種構成を有する。具体的には、例えば故意の通信エラーや故意の再接続（後述する方法１１，１３参照）を変化させるタイミングを計測するタイマ、通信帯域（方法１２参照）を設定・変化させる構成、通信経路（方法１４参照）を設定・変化させる構成、等を備える。
【００３４】
チップ内部バス８は、チップ２内部のデバイスを接続し、データや信号の伝送路を形成する。
【００３５】
外部バス３は、チップ２，２の接続部９，９に接続されて、チップ２，２相互間におけるデータや信号の伝送路を形成する。外部バス３には、外部の各種機器（例えば、チップ２の製造メーカの所持または管理するサーバや、チップ２のユーザの所持または管理する各種端末など）が有線又は無線で接続する機能を有していてもよい。
【００３６】
認証部１０は、各種の認証方法を用いて接続されたチップ２や当該チップ２の接続部９を認証する。図示しないが、認証部１０には認証に必要な各種の認証情報（例えば、ＩＤやパスワードの情報、ワンタイムパスワード形成用のハッシュ関数、認証用のデータが記録されたレジスタの情報、認証かぎ等）が記録されている。
【００３７】
［認証の具体的方法］
認証部１０は、例えば下記（方法０１）〜（方法０３）に示す認証方法を用いて、チップ２，２相互間での認証を行う。ただし、これ以外のいかなる認証方法を用いて認証を行ってもよい。
（方法０１）チップ２の認証部１０の認証情報記録部１２には、それぞれのチップ２を一意に識別するためのＩＤ情報や、パスワード情報を記録させる。パスワード情報は、例えば、ユーザがパソコン（図示せず）から入力し外部バス３を介して供給されたテキストデータや、認証部１０の有するハッシュ関数によって生成されたハッシュ値を用いたチャレンジ・レスポンス方式のワンタイムパスワード等、どのようなものであってもよい。認証部１０は、通信対象である他のチップ２の認証部１０にＩＤ情報やパスワード情報を送信し、他のチップ２の認証部１０は、受信したＩＤ情報やパスワード情報を、自らの認証情報記録部１２に記録された情報と照合を行うことで認証を行う。
（方法０２）チップ２の認証部１０の認証情報記録部１２には、レジスタ情報が記録される。認証部１０は、このレジスタ情報を他のチップ２に送信し、他のチップ２の認証部１０は、受信したレジスタ情報が指定するレジスタに記録された情報を取得し照合を行うことで認証を行う。
（方法０３）チップ２の認証部１０の認証情報記録部１２には、認証かぎ情報が記録される。認証かぎ情報としての認証かぎは、例えば共通かぎ暗号（例えばＤＥＳ，ＡＥＳ）、秘密かぎ暗号（例えばＲＳＡ）等、どのようなものでもよい。認証部１０は、通信対象である他のチップ２の認証部１０に認証かぎ情報を送信し、他のチップ２の認証部１０は、受信した認証かぎ情報と自らの認証情報記録部１２に記録された認証かぎ情報との照合を行うことで認証を行う。
【００３８】
［通信態様の変化の具体的態様］
通信態様管理部１１が認証の有無によって通信状態を変化させる内容としては、例えば下記（方法１１）〜（方法１４）に示す方法が考えられる。なお、これ以外のいかなる処理を用いて通信状態を変化させてもよい。
（方法１１）エラー率を変化させる。例えば、未認証の通信においては、チップ２，２相互間での通信に一定周期例えば０．１秒周期で（あるいはランダムに）故意の通信エラーを発生させる。通信エラーが発生すると、送受信できなかったデータ（具体的には、送受信できなかったパケットやフレーム）の再送処理が行われ、その分だけ通信の遅延が発生し、通信品質が低下することになる。一方、認証された後の通信においては、故意の通信エラーは発生させない。このようにすることで、未認証の通信よりも認証後の通信の方が通信の信頼性が高くなり、また、通信速度が速くなる。
（方法１２）通信帯域を変化させる。例えば、未認証の通信においては、チップ２，２相互間での通信を狭い通信帯域例えば１０Ｍｂｐｓで通信させ、認証された後の通信においては、広い通信帯域例えば１００Ｍｂｐｓで通信させる。この通信帯域の変化は、チップ内部バス８の帯域を変化させることで行ってもよいし、接続部９における外部バス３に対する帯域を変化させることで行ってもよい。このようにすることで、未認証の通信よりも認証後の通信の方が通信速度が速くなる。
（方法１３）再接続の有無を変化させる。例えば、未認証の通信においては、チップ２，２相互間での通信を一定周期例えば１秒周期で（あるいはランダムに）故意に切断したのち再接続させる処理を行い、認証された後の通信においては故意の切断や再接続は行わない。この、故意の通信の切断は、例えば、チップ２，２相互間でのセッションの切断や、コネクションの切断であってもよいし、セッションやコネクションの切断によらない、一定期間のデータの送受信中断であってもよい。未認証の通信よりも認証後の通信の方が通信の信頼性が高くなり、また、通信速度が速くなる。
（方法１４）通信経路を変化させる。例えば、チップ内部バス８や外部バス３に、全てのデータや信号（チップ２内部で送受信されるデータや信号、あるいは、外部バス３に接続された全てのチップ２や各種機器）を送受信するための汎用線（図示せず）と認証されたチップ２相互間でデータを通信するための専用線（図示せず）とを形成し、認証される前の通信においては汎用線（図示せず）でチップ２，２相互間の通信を行い、認証された後の通信においては専用線でチップ２，２相互間での通信を行う。このようにすることで、認証後の通信は、認証前に比べてデータ損失や遅延が起こりにくくなるので、通信の信頼性が高くなり、また、通信速度が速くなる。
【００３９】
［処理手順］
図２は、この実施の形態１の通信システム１Ａの処理手順を示すフローチャートである。以下、同フローチャートに基づいて処理手順を説明する。
【００４０】
まず、一のチップ２が外部バス３に接続されると、接続部９は通信状態の確認を開始する（ステップＳ１）。接続部９が、自らが外部バス３に接続されていることを確認した場合や、外部バス３に接続された他のチップ２の接続部９との間で生存確認信号の交信を行って、他のチップ２との接続が確認された場合（ステップＳ２の“Ｙｅｓ”）、それぞれのチップ２の認証部１０は、これらの確認をトリガとして認証処理を行う（ステップＳ３）。具体的には、例えば上記（方法０１）〜（方法０３）の何れかによって認証処理を行う。なお、他のチップ２との接続が確認されない場合（ステップＳ２の“Ｎｏ”）は、他のチップとの通信を行わない（ステップＳ４）。
【００４１】
認証処理の結果、チップ２，２が相互に認証した場合（ステップＳ５の“Ｙｅｓ”）、チップ２，２相互間では、認証が行われた状態で通信が開始される（ステップＳ６）。一方、認証処理の結果、チップ２，２が相互に認証しなかった場合（ステップＳ５の“Ｎｏ”）、チップ２，２相互間では、認証が行われない状態で通信が開始される（ステップＳ７）。
【００４２】
認証が行われない状態で通信が開始された（ステップＳ７）のちに、チップ２，２の認証部１０が、外部バス３等を介して各種機器から認証のための所定の情報（例えば、ＩＤやパスワードの情報）を受信した場合（ステップＳ８の“Ｙｅｓ”）、認証部１０は、この所定の情報の受信をトリガに認証処理を行う（ステップＳ９）。なお、この所定の情報が取得されない場合は（ステップＳ８の“Ｎｏ”）、認証が行われない状態での通信が継続する（ステップＳ７）。
【００４３】
ステップＳ９の認証処理において、結果チップ２，２が相互に認証した場合（ステップＳ１０の“Ｙｅｓ”）、チップ２，２相互間では、認証が行われた状態で通信が開始される（ステップＳ１１）。一方、ステップＳ７ののちに、チップ２，２の認証部１０が、各種機器から認証のための所定の情報（例えば、ＩＤやパスワードの情報）を受信しない場合（ステップＳ８の“Ｎｏ”）は、認証が行われない状態での通信が継続される（ステップＳ７）。
【００４４】
なお、上記ステップＳ１〜Ｓ１１においては、通信開始（ステップＳ６，ステップＳ７）の前後に認証処理を行ったが（ステップＳ３、ステップＳ９）、通信開始前の認証処理（ステップＳ３）のみが行われる構成でもよいし、通信開始後の認証処理（ステップＳ９）のみが行われる構成であってもよい。
【００４５】
従来は、チップ２，２相互間において、通信を開始した後に認証を行ったり、認証の有無によってチップ２，２相互間での通信の態様を自在に変化させることはできなかった。しかし、この実施の形態１においては、チップ２，２相互の接続の前後において認証が可能であるため、接続の如何に関わらず所望のタイミングでチップ２，２同士の認証を行える。また、認証の有無に基づいてチップ２，２相互間の通信の態様を変化させられるので、通信を確保しつつ、認証の有無により帯域等を変化させて認証されたチップ２，２の通信優位性を確保できる。これにより、この実施の形態１においては、複数の構成要件の良好なコネクティビティを確保して接続させることができる。また、それぞれのチップ２，２の状況に応じて通信状態を変化させることができる。  この実施の形態１においては、通信態様管理部１１は、具体的な通信制御の構成を用いて通信品質を変化させることが可能となるので、それぞれの機器の状況に応じて確実に通信状態を変化させることができる。
【００４６】
この実施の形態１においては、通信対象となるチップ２にそれぞれ設けられた認証部１０，１０同士が、通信対象となる個々の機器の特性や設定に依存する認証情報を交信、照合させ、この交信、照合の結果に基づいて通信状態を変化させることができるので、通信対象となる個々の機器の特性や設定に基づいて確実に通信状態を変化させることができる。
【００４７】
この実施の形態１においては、通信対象となる個々のチップ２の特性や設定に基づく具体的な情報であるＩＤ情報、レジスタ情報、パスワード情報、認証かぎ情報のうち少なくとも何れか一つの情報を用いて、通信対象となる個々のチップ２の特性や設定に基づいて確実に通信状態を変化させることができる。
【００４８】
この実施の形態１においては、通信可能な複数のＩＣチップであるチップ２相互間で、チップ２の状況に応じて通信状態を変化させることができる。
【００４９】
［発明の実施の形態の参考例１］
図４に、この発明の実施の形態の参考例１を示す。
【００５０】
この実施の形態の参考例１の通信システム１Ｂは、「機器」としての情報保持デバイス３１及び通信端末３２及び基地局３３を備える。
【００５１】
情報保持デバイス３１は例えばＮＦＣ（Ｎｅａｒｌｙ  Ｆｉｅｌｄ  Ｃｏｍｍｕｎｉｃａｔｉｏｎ）デバイスであり、近接する端末やデバイス等に、記録された情報を無線通信する。情報保持デバイス３１には、情報記録部３４、「接続手段」としての通信部３５が設けられている。情報記録部３４には、情報保持デバイス３１を所持管理する使用者を識別するための登録情報、通信端末３２を使用する際の認証に用いる認証情報が記録されている。
【００５２】
通信端末３２は例えば携帯電話端末やＰＨＳ端末であり、基地局３３と無線交信を行う。但し、通信端末３２は、例えばパソコン等、端末としての通信機能を有するものであればどのようなものでもよい。通信端末３２には、登録情報や認証情報が記録された登録部３６、情報保持デバイス３１の認証情報に基づいて認証を行い、認証情報を記録する「認証手段」としての認証部３７、登録情報や認証情報を送信する「接続手段」としての通信部３８が設けられている。
【００５３】
基地局３３は、各種通信回線たとえば電話回線（図示せず）に接続されて、携帯電話網において通信端末３２と交信する。基地局３３には、登録情報や、通信端末３２を識別するための端末情報が記録された登録部３９、通信端末３２との交信を制御する「接続手段」としての通信制御部４０が設けられている。
【００５４】
この実施の形態の参考例１においては、基地局３３に予め情報保持デバイス３１の登録情報を記録させておく。また、基地局３３に携帯端末として使用したい通信端末３２の端末情報を登録する。端末情報は、情報保持デバイス３１を近接させた通信端末３２が基地局３３に自動送信してもよいし、情報保持デバイス３１の使用者（以下単に「使用者」と称する。）がパソコン（図示せず）などを操作して基地局３３に送信してもよい。このとき、使用者が使用したい通信端末３２には、使用者の情報保持デバイス３１に記録された登録情報が送られ、記録される。
【００５５】
この状態で、電話回線（図示せず）において使用者宛ての発呼があると、基地局３３に端末情報を登録した通信端末３２の呼出音が鳴る。このとき、使用者が情報保持デバイス３１を通信端末３２に接近させると、情報保持デバイス３１の登録情報と認証情報とが通信端末３２の認証部３７に送られる（使用者の登録情報は、この段階において通信端末３２の登録部３６に記録されてもよい）。通信端末３２の認証部３７においては、使用者の認証処理が行われる。認証が完了すると、使用者は認証された通信端末３２を自分の携帯端末として使用できる。
【００５６】
従来は、電話等の通信を行う者は、有線の電話端末や無線電話端末等、予め定められた通信端末を用いてのみしか通信を行うことができなかった。しかし、この実施の形態の参考例１では、情報保持デバイス３１を所持する使用者が、身近にある様々な端末を携帯端末として使用でき、使用者にとって利便性の高い携帯電話や移動通信のシステムを提供できる。
【００５７】
なお、この実施の形態の参考例１に上記実施の形態１の構成を組み合わせることで、良好なコネクティビティを確保して接続させることができる。また、このような組み合わせにより、それぞれの情報保持デバイス３１や通信端末３２の状況（情報保持デバイス３１や通信端末３２に対して行われる、所定の認証の有無など）に応じて通信状態を変化させることができる。
【００５８】
なお、上記実施の形態は、チップ２，２相互間を接続した構成としたが、チップ以外のデバイスやノードを接続した場合に用いることもできる。また、上記実施の形態を、３つ以上のチップ、あるいはチップ以外のデバイスやノードを接続させた場合に適用することもできる。
【００５９】
なお、上記実施の形態においては、チップ２は遊技機や娯楽機器に用いるものとしたが、これ以外の各種機器、例えば自動車や各種機械の電子制御や他のあらゆる用途に用いられるものであってもよいし、遊技機や遊技機以外の機器において、画像処理や音声処理以外、例えばモータの回転制御等、あらゆる処理に用いられるものであってもよい。また、ＩＣチップ以外の電子機器や通信機器等であってもよい。
【００６０】
上記実施の形態は本発明の例示であり、本発明が上記実施の形態のみに限定されることを意味するものではないことは、いうまでもない。
【符号の説明】
【００６１】
１Ａ・・・通信システム
２，２１，２２・・・２ｍ・・・チップ（機器）
９・・・接続部（接続手段）
１０・・・認証部（認証手段）
１１・・・通信態様管理部（通信態様管理手段）
【図１】
2014212515.tif 000003
【図２】
2014212515.tif 000004
【図３】
2014212515.tif 000005
【図４】
2014212515.tif 000006
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
複数の機器相互間の通信を可能とする通信システムであって、
それぞれの前記機器に設けられて、前記機器相互間を通信可能に接続する接続手段と、
それぞれの前記機器に設けられて、前記接続の前後において前記機器相互間の認証を行う認証手段と、
それぞれの前記機器に設けられて、前記認証の有無に基づいて前記通信の態様を変化させる通信態様管理手段とを備え、
該通信態様管理手段は、前記機器同士がそれぞれの前記認証手段によって認証が行われていない場合は、前記機器相互間を、認証が行われた場合に比べて信頼性を低下させた状態で通信を行わせると共に、前記機器同士がそれぞれの前記認証手段によって認証が行われている場合には、前記認証が行われていない場合よりも信頼性の高い状態で通信を行わせることを特徴とする通信システム。
【請求項２】
前記通信態様管理手段は、前記認証の有無に基づいて、前記通信のエラー率、前記通信の帯域、前記通信の切断と再接続のタイミング、のうち少なくとも何れか一つを変化させて前記信頼性を低下させた状態と前記信頼性の高い状態とを変化させることを特徴とする請求項１に記載の通信システム。
【請求項３】
前記認証手段は、それぞれの前記機器に設けられて、通信相手である他の前記機器に設けられた前記認証手段との交信を行うことで前記認証を行うことを特徴とする請求項１又は２に記載の通信システム。
【請求項４】
前記認証手段は、それぞれの通信機器に設けられて、通信相手である他の前記機器に設けられた前記認証手段との間で、ＩＤ情報、レジスタ情報、パスワード情報、認証かぎ情報のうち少なくとも何れか一つの情報を交信し照合することで前記認証を行うことを特徴とする請求項１乃至３の何れか一つに記載の通信システム。
【請求項５】
前記機器は、ＩＣチップであることを特徴とする請求項１乃至４の何れか一つに記載の通信システム。
【請求項６】
前記機器としての前記ＩＣチップは、遊技機に設けられることを特徴とする請求項５に記載の通信システム。
【手続補正２】
【補正対象書類名】明細書
【補正対象項目名】０００６
【補正方法】変更
【補正の内容】
【０００６】
かかる課題を達成するために、請求項１に記載の発明は、複数の機器相互間の通信を可能とする通信システムであって、それぞれの前記機器に設けられて、前記機器相互間を通信可能に接続する接続手段と、それぞれの前記機器に設けられて、前記接続の前後において前記機器相互間の認証を行う認証手段と、それぞれの前記機器に設けられて、前記認証の有無に基づいて前記通信の態様を変化させる通信態様管理手段とを備え、該通信態様管理手段は、前記機器同士がそれぞれの前記認証手段によって認証が行われていない場合は、前記機器相互間を、認証が行われた場合に比べて信頼性を低下させた状態で通信を行わせると共に、前記機器同士がそれぞれの前記認証手段によって認証が行われている場合には、前記認証が行われていない場合よりも信頼性の高い状態で通信を行わせることを特徴とする。
【手続補正３】
【補正対象書類名】明細書
【補正対象項目名】０００７
【補正方法】変更
【補正の内容】
【０００７】
請求項２に記載の発明は、請求項１に記載の構成に加え、前記通信態様管理手段は、前記認証の有無に基づいて、前記通信のエラー率、前記通信の帯域、前記通信の切断と再接続のタイミング、のうち少なくとも何れか一つを変化させて前記信頼性を低下させた状態と前記信頼性の高い状態とを変化させることを特徴とする。
【手続補正４】
【補正対象書類名】明細書
【補正対象項目名】０００８
【補正方法】変更
【補正の内容】
【０００８】
請求項３に記載の発明は、請求項１又は２に記載の構成に加え、前記認証手段は、それぞれの前記機器に設けられて、通信相手である他の前記機器に設けられた前記認証手段との交信を行うことで前記認証を行うことを特徴とする。
【手続補正５】
【補正対象書類名】明細書
【補正対象項目名】０００９
【補正方法】変更
【補正の内容】
【０００９】
請求項４に記載の発明は、請求項１乃至３の何れか一つに記載の構成に加え、前記認証手段は、それぞれの通信機器に設けられて、通信相手である他の前記機器に設けられた前記認証手段との間で、ＩＤ情報、レジスタ情報、パスワード情報、認証かぎ情報のうち少なくとも何れか一つの情報を交信し照合することで前記認証を行うことを特徴とする。